(57)【要約】【課題】  公衆回線から供給される直流電圧の極性に適応して発生する電話機の極性反転を抑えることができる。【解決手段】    公衆回線に接続して画像情報を送受信する画像通信装置であって、電話機を前記公衆回線に接続する接続手段と、前記直流電圧の極性を反転させた直流電圧を生成する生成手段と、前記公衆回線より供給されている直流電圧とその極性を検出する検出手段と、検出される直流電圧の極性が前記電話機に接続される端子の極性と一致するかどうかを判断する判断手段と、前記直流電圧の極性と前記電話機に接続される端子の極性とが一致しないと判断した場合、前記直流電圧の極性と前記電話機に接続される端子の極性とが一致するように前記生成手段が生成する直流電圧の極性の切替を制御する制御手段と、を備えることを特徴とする。【選択図】  図５
2016220028.tif 000002
【特許請求の範囲】
【請求項１】
公衆回線に接続して画像情報を送受信する画像通信装置であって、
電話機を前記公衆回線に接続する接続手段と、
極性が反転する直流電圧を生成する生成手段と、
前記公衆回線より供給されている直流電圧とその極性を検出する検出手段と、
検出される直流電圧の極性が前記電話機に接続される端子の極性と一致するかどうかを判断する判断手段と、
前記直流電圧の極性と前記電話機に接続される端子の極性とが一致しないと判断した場合、前記直流電圧の極性と前記電話機に接続される端子の極性とが一致するように前記生成手段が生成する直流電圧の極性の切替を制御する制御手段と、
を備えることを特徴とする画像通信装置。
【請求項２】
前記判断手段は、前記検出手段により検出された前記直流電圧が所定値を超えている場合、前記公衆回線より供給されている直流電圧とその極性を検出することを特徴とする請求項１記載の画像通信装置。
【請求項３】
前記制御手段は、前記画像通信装置に対する初期化処理が開始された場合に、前記直流電圧の極性と前記電話機に接続される端子の極性とが一致するように前記生成手段が生成する直流電圧の極性の切替を制御することを特徴とする請求項１記載の画像通信装置。
【請求項４】
前記制御手段は、前記画像通信装置がファクシミリ通信を行う場合に、前記直流電圧の極性と前記電話機に接続される端子の極性とが一致するように前記生成手段が生成する直流電圧の極性の切替を制御することを特徴とする請求項１記載の画像通信装置。
【請求項５】
前記直流電圧の極性と前記電話機に接続される端子の極性とが一致しないと判断した場合、前記電話機に接続される端子の極性の確認を要求するメッセージを表示する表示手段を備える請求項１記載の画像通信装置。
【請求項６】
前記メッセージは、回線接続を提供するサービス業者への問い合わせを含むことを特徴とする請求項５記載の画像通信装置。
【請求項７】
電話機を公衆回線に接続する接続手段を備え、前記公衆回線に接続して画像情報を送受信する画像通信装置の制御方法であって、
極性が反転する直流電圧を生成する生成工程と、
前記公衆回線より供給されている直流電圧とその極性を検出する検出工程と、
検出される直流電圧の極性が前記電話機に接続される端子の極性と一致するかどうかを判断する判断工程と、
前記直流電圧の極性と前記電話機に接続される端子の極性とが一致しないと判断した場合、前記直流電圧の極性と前記電話機に接続される端子の極性とが一致するように前記生成工程で生成される直流電圧の極性の切替を制御する制御工程と、
を備えることを特徴とする画像通信装置の制御方法。
【請求項８】
請求項７に記載の画像通信装置の制御方法をコンピュータに実行させることを特徴とするプログラム。
【請求項９】
公衆回線に接続して画像情報を送受信する画像通信システムであって、
電話機を前記公衆回線に接続する接続手段と、
極性が反転する直流電圧を生成する生成手段と、
前記公衆回線より供給されている直流電圧とその極性を検出する検出手段と、
検出される直流電圧の極性が前記電話機に接続される端子の極性と一致するかどうかを判断する判断手段と、
前記直流電圧の極性と前記電話機に接続される端子の極性とが一致しないと判断した場合、前記直流電圧の極性と前記電話機に接続される端子の極性とが一致するように前記生成手段が生成する直流電圧の極性の切替を制御する制御手段と、
を備えることを特徴とする画像通信システム。
【発明の詳細な説明】
【技術分野】
【０００１】
本発明は、画像通信装置、画像通信システム、画像通信装置の制御方法、及びプログラムに関するものである。
【背景技術】
【０００２】
従来から公衆回線に接続してファクシミリ通信を実現する画像通信装置の一例であるファクシミリ装置では、外付け電話機が接続可能な構成を備えたものが提供されている。このようなファクシミリ装置では、着信時に公衆回線から入力する呼出信号により外付け電話機が鳴動しないよう外付け電話機と公衆回線を切り離す構成が取られている。
このように外付け電話機を鳴動させずに着信する無鳴動着信状態の場合でも、外付け電話機がオフフックされたことをファクシミリ装置が検出するために、ループ電流を発生させるための直流電圧を外付け電話機に供給する構成になっている。
一例として特許文献１では、外付け電話機を公衆回線と接続したり切り離したりするＨリレーを備え、外付け電話機を公衆回線から切り離した場合に、外付け電話機にはファクシミリ装置内の直流電圧発生回路が接続されている。
【０００３】
一方で、公衆回線から呼出信号が送出される場合、公衆回線の２線間（Ｌ１、Ｌ２間）に掛かる電圧の極性が反転する、極性反転が発生する。特許文献１のように着信時の極性反転を利用するファクシミリ装置も提案されている。従って、外付け電話機を公衆回線から切り離して直流電圧発生回路に接続する場合は、公衆回線の電圧極性と直流電圧発生回路の電圧極性を合わせ、外付け電話機に対して極性反転が起きないようにする必要がある。
【先行技術文献】
【特許文献】
【０００４】
【特許文献１】特開平９−９３３５９号公報
【特許文献１】特開２０１３−２１１７９１号公報
【発明の概要】
【発明が解決しようとする課題】
【０００５】
亜しかしながら、公衆回線を提供する業者によっては、公衆回線へ接続するジャック部の接続が反転している場合があり、前述のように、無鳴動着信状態に切り替えた際に、外付け電話機に供給される直流電圧の極性が反転してしまう場合がある。
これは、屋内配線などの接続が逆に接続されてしまった場合に発生しうる事例である。つまり、公衆回線の電圧極性に合わせた極性で、ファクシミリ装置の直流電発発生回路の電圧を発生しても、公衆回線の電圧極性が反転していると、外付け電話機が公衆回線から切り離され直流電発発生回路に接続した際、極性反転とみなされる可能性がある。
前記特許文献１の通信装置のように、電話機が極性反転を検出して制御を変えていた場合、所望の制御が行われず、この結果、外付け電話機の動作が正しく行われない可能性がある。
例えば、発信電話番号受信機能（ナンバー・ディスプレイ）の情報受信機能に対応した電話機の場合、前記電圧極性の入れ替えを電話機が情報受信端末の起動を意味する「極性反転」と誤認識して、不要な動作を引き起こす可能性がある。
【０００６】
本発明は、上記の課題を解決するためになされたもので、本発明の目的は、公衆回線から供給される直流電圧の極性に適応して発生する電話機の極性反転を抑えることができる仕組みを提供することである。
【課題を解決するための手段】
【０００７】
上記目的を達成する本発明の画像通信装置は以下に示す構成を備える。
公衆回線に接続して画像情報を送受信する画像通信装置であって、電話機を前記公衆回線に接続する接続手段と、極性が反転する直流電圧を生成する生成手段と、前記公衆回線より供給されている直流電圧とその極性を検出する検出手段と、検出される直流電圧の極性が前記電話機に接続される端子の極性と一致するかどうかを判断する判断手段と、前記直流電圧の極性と前記電話機に接続される端子の極性とが一致しないと判断した場合、前記直流電圧の極性と前記電話機に接続される端子の極性とが一致するように前記生成手段が生成する直流電圧の極性の切替を制御する制御手段と、を備えることを特徴とする。
【発明の効果】
【０００８】
本発明によれば、公衆回線から供給される直流電圧の極性に適応して発生する電話機の極性反転を抑えることができる。
【図面の簡単な説明】
【０００９】
【図１】画像通信装置の構成を説明するブロック図である。
【図２】ＦＡＸ Ｉ／Ｆの構成を示すブロック図である。
【図３】直流電圧発生回路の内部回路を示すブロック図である。
【図４】回線制御部の内部回路の構成を示すブロック図である。
【図５】画像通信装置の制御方法を説明するフローチャートである。
【図６】画像通信装置の制御方法を説明するフローチャートである。
【図７】画像通信装置の制御方法を説明するフローチャートである。
【発明を実施するための形態】
【００１０】
次に本発明を実施するための最良の形態について図面を参照して説明する。
＜システム構成の説明＞
〔第１実施形態〕
図１は、本実施形態を示す画像通信装置の構成を説明するブロック図である。本例は、画像通信装置としてファクシミリ装置１００のハードウェア例を示す。なお、本例は、公衆回線を用いて画像情報を通信する機能を備える複合機を例とするが、各機能を備える画像通信システムとして構成することも可能である。
【００１１】
図１において、ファクシミリ装置１００は、コントローラ部１０１とプリンタ部１０７、スキャナ部１０９、操作部１１０から構成される。コントローラ部１０１は、ＣＰＵ１０２、ＲＡＭ１０３、ＲＯＭ１０４、画像処理部１０５、プリンタＩ／Ｆ１０６、スキャナＩ／Ｆ１０８、ＦＡＸ Ｉ／Ｆ１１１で構成される。
【００１２】
スキャナＩ／Ｆ１０８は、スキャナ部１０９と接続され、原稿の読み取り画像データを得る処理を行う。プリンタＩ／Ｆ１０６はプリンタ部１０７と接続され、印刷データの用紙への印刷を行う。操作部１１０は、ユーザによる各種設定、操作の受け付け、及びアラーム等の情報表示を行う。
コントローラ部１０１内のＣＰＵ１０２はファクシミリ装置１００全体を制御する中央演算装置であり、各部とシステムバス１１５で接続されている。
【００１３】
ファックス通信は、ＦＡＸ Ｉ／Ｆ１１１を介して通信可能なように構成されている。ＦＡＸ Ｉ／Ｆ１１１は、モジュラージャックを介して公衆回線１１２に接続され、他のＦＡＸ装置１１３とＦＡＸ送受信を行う。また、ＦＡＸ Ｉ／Ｆ１１１は、外付け電話機が接続され、公衆回線を介した音声通話に使用する。
【００１４】
ＲＯＭ１０４はブートＲＯＭであり、ファクシミリ装置１００のブートプログラム（起動プログラム）が格納されている。ＲＡＭ１０３は、ＣＰＵ１０２が動作するためのシステムワークメモリであり、ＣＰＵ１０２の演算データや各種プログラムが記憶される。またＲＡＭ１０３は、印刷時等に画像処理部１０５で種々の画像処理を施された画像データを一時保持する画像メモリとしても利用される。
【００１５】
図２は、図１に示したＦＡＸ Ｉ／Ｆ１１１の構成を示すブロック図である。
図２において、ＦＡＸ Ｉ／Ｆ１１１は、公衆回線１１２と接続する回線端子２０１、２０２と、外付け電話機１１４が接続するＴＥＬ端子２０３、２０４が、外部Ｉ／Ｆとして用意されている。
本実施形態では、公衆回線１１２から供給される直流電圧の極性は、回線端子２０１が＋（プラス）極、回線端子２０２が−（マイナス）極としている。
また、ＦＡＸ Ｉ／Ｆ１１１は、外付け電話機１１４を公衆回線１１２に接続と接続したり切断したりするＨリレー２０５がある。公衆回線１１２からの呼出信号によって外付け電話機１１４が鳴動しないようにする「無鳴動着信状態」にする場合は、Ｈリレー２０５をＯＮにする（図２に示す状態はＯＦＦ状態）。
【００１６】
Ｈリレー２０５をＯＮにすると、ＴＥＬ端子２０３、２０４が回線端子２０１、２０２から切断され、直流電圧発生回路２０６に接続される。ＴＥＬ端子２０３、２０４が公衆回線１１２から切り離されることで、呼出信号が外付け電話機１１４に入力せず、外付け電話機１１４は鳴動しない。
【００１７】
一方、公衆回線１１２から切り離された外付け電話機１１４はＨリレー２０５にて直流電圧発生回路２０６に接続される。これは、外付け電話機１１４のフックアップ（オフフック；Ｏｆｆｈｏｏｋ）を検出するためである。外付け電話機１１４のオフフック検出は、オフフック検知部２０７にてループ電流を検出することで行う。ループ電流は、外付け電話機１１４がオフフックしてループ閉成されたときに直流電圧発生回路２０６から印加された直流電圧によって流れる。従って、「無鳴動着信状態」に於いて、直流電圧発生回路２０６を外付け電話機１１４に接続することで、公衆回線１１２と接続している時と同じ方法で外付け電話機１１４のオフフックを検出することが可能になる。
ここで、Ｈリレー２０５はＦＡＸ Ｉ／Ｆ１１１が接続しているシステムバス１１５を介してＣＰＵ１０２よりＯＮ／ＯＦＦの制御がおこなわれる（Ｈリレー制御信号２０８）。
【００１８】
また、オフフック検知部２０７で検出した外付け電話機１１４のオフフックの有無を示すオフフック検知信号２１０も、同様にシステムバス１１５に接続され、ＣＰＵ１０２に入力する。直流電圧発生回路２０６の制御を行う信号として、直流電圧制御信号２０９があり、直流電圧発生回路２０６のＯＮ／ＯＦＦ制御や電圧極性の制御を行う。直流電圧制御信号２０９もシステムバス１１５に接続され、ＣＰＵ１０２によって制御される。
【００１９】
次に、回線制御部２１１、絶縁素子２１２、ＭＯＤＥＭ２１３について説明する。
回線制御部２１１では、公衆回線１１２からの呼出信号を検出、ループ閉成（オフフック）／ループ解放（オンフック）の制御を行う。さらに、ダイヤルパルスやダイヤルトーン（ＤＴＭＦ）の送出、各種トーン信号（画像信号）の生成・送出、各種トーン信号の検出を担う。また、公衆回線１１２から供給される直流電圧の監視を行う。絶縁素子２１２は、公衆回線１１２とＭＯＤＥＭ２１３の間にあり、電気的な絶縁を確保しつつＭＯＤＥＭ２１３と回線制御部２１１との間の通信を取り持つ。
【００２０】
これは、ＴＮＶ回路（電気通信網電圧回路；回線制御部２１１側）とＳＥＬＶ回路（超低電圧回路ＭＯＤＥＭ２１３側）との間で電気的絶縁を確保する必要があるためである。ＭＯＤＥＭ２１３は、システムバス１１５を介してＣＰＵ１０２に接続し、ＣＰＵ１０２による制御に基づいて動作する変復調器である。ＭＯＤＥＭ２１３は、ファクシミリ送信の対象となるデータの変調処理と、公衆回線１１２を介して受信した信号の復調処理を行う。また、ＭＯＤＥＭ２１３は、絶縁素子２１２を介して回線制御部２１１の制御を行う。
【００２１】
図３は、図２に示した直流電圧発生回路２０６の内部回路を示すブロック図である。
図３において、直流電圧発生回路２０６には、直流電圧制御信号２０９が入力しているが、その内訳は、直流電圧発生用電源３０３と、ＯＮ／ＯＦＦ制御信号３０４、極性制御信号３０５である。直流電圧発生用電源３０３は、直流電圧を発生させるために直流電圧発生回路２０６に供給する電源である。ＯＮ／ＯＦＦ制御信号３０４は、直流電圧の発生のＯＮ（入）／ＯＦＦ（切）を制御する信号である。
【００２２】
極性制御信号３０５は、直流電圧発生回路２０６の出力する電圧の極性を切り替える制御信号である。直流電圧発生回路２０６の内部回路について説明する。直流電圧発生回路２０６は、直流電圧発生部３０１と、電圧極性切り替え部３０２によって構成される。直流電圧発生部３０１は、前記直流電圧発生用電源３０３の供給を受け、ＯＮ／ＯＦＦ制御信号３０４の制御に基づき直流電圧を発生する。電圧極性切り替え部３０２は、極性制御信号３０５の制御に基づいて、直流電圧発生部３０１の出力する電圧の極性を切り替える。例えば、電圧極性切り替え部３０２の切り替え回路がＡ側に接続していた場合、直流電圧発生部３０１の（＋）端子３０６が、直流電圧発生回路２０６の出力Ｄ１に対応する端子３０８に接続されるため、端子３０８には直流電圧の＋（プラス）極が出力される。
【００２３】
一方、直流電圧発生部３０１の（−）端子３０７が、直流電圧発生回路２０６の出力Ｄ２に対応する端子３０９に接続されるため、端子３０９には直流電圧の−（マイナス）極が出力される。逆に、電圧極性切り替え部３０２の切り替え回路がＢ側に接続していた場合は、出力Ｄ１に対応する端子３０８に−（マイナス）極が、出力Ｄ２に対応する端子３０９に＋（プラス）極が出力される。
【００２４】
図４は、図２に示した回線制御部２１１の内部回路の構成を示すブロック図である。
図４において、回線制御部２１１には、ＤＡＡ部４０１、回線捕捉回路４０２、回線整合回路４０３で構成され、ＤＡＡ部４０１は、回線捕捉部４０４と回線電圧検出部４０５で構成される。回線制御部２１１は、公衆回線１１２側のインタフェースとして端子Ｌ１（２０１）、端子Ｌ２（２０２）、ＭＯＤＥＭ２１３側のインタフェースとして絶縁インタフェース４０６がある。絶縁インタフェース４０６は、絶縁素子２１２を介してＭＯＤＥＭ２１３と接続する。回線制御部２１１は、ＭＯＤＥＭ２１３からの制御に基づき動作する。ＤＡＡ（Ｄｉｒｅｃｔ ＡｃｃｅＳ Ａｒｒａｎｇｅｍｅｎｔ）部４０１は、ＭＯＤＥＭ２１３からの制御に基づき、回線捕捉回路４０２や回線整合回路４０３を制御してファクシミリ通信や回線制御を行う。ＤＡＡ部４０１には、回線捕捉回路４０２を制御する回線捕捉部４０４、公衆回線１１２から供給される直流電圧を監視・検出する回線電圧検出部４０５がある。
【００２５】
回線捕捉部４０４は、オフフック（Ｏｆｆｈｏｏｋ）／オンフック（Ｏｎｈｏｏｋ）の制御を行う。あわせて、回線整合回路４０３を制御して直流抵抗の調整を行う。回線電圧検出部４０５は、公衆回線１１２から供給される直流電圧の検出を行う。直流電圧が供給されていない場合は、公衆回線１１２に接続されていないと判断する。また、回線電圧検出部４０５では公衆回線１１２から供給される直流電圧の電圧極性や、電圧値の検出も行う。検出した結果は、絶縁素子２１２を介してＭＯＤＥＭ２１３に通知される。
【００２６】
図５は、本実施形態を示す画像通信装置の制御方法を説明するフローチャートである。本例は、なお、各ステップは、極性反転制御の一例である。図１に示したＣＰＵ１０２がＲＯＭ１０４等に記憶された制御プログラムを実行することにより実現される。本例は、画像通信装置に電源が投入された初期化処理が開始された場合を示す。
【００２７】
ファクシミリ装置１００の電源が入れられたならば、まず、ＣＰＵ１０２は、ＭＯＤＥＭ２１３に対して初期設定を行う（Ｓ５０１）。ここでの初期設定とは、ファクシミリ装置１００のＲＯＭ１０４に記憶されているファクシミリ通信に関する情報に基づき、ＭＯＤＥＭ２１３の各種初期設定を行う。例えば、ファクシミリ装置１００の設置される国によって変更すべき設定などを、ＲＯＭ１０４に記憶されている情報（国テーブルなど）に基づいて設定を行う。
【００２８】
次に、ＤＡＡ部４０１の回線電圧検出部４０５にてＦＡＸ Ｉ／Ｆ１１１の回線端子Ｌ１／Ｌ２間の電圧検出を行う（Ｓ５０２）。ＣＰＵ１０２はこの時、ＭＯＤＥＭ２１３に対してＬ１／Ｌ２間の電圧検出を指示し、ＣＰＵ１０２の指示を受けたＭＯＤＥＭ２１３によって回線制御部２１１のＤＡＡ部４０１に制御が行われる。Ｓ５０２にて検出した電圧の絶対値が所定値以上か否かを判断する（Ｓ５０３）。
ここで、Ｓ５０２にて検出した電圧の絶対値が所定値以上であるとＣＰＵ１０２が判断した場合、ファクシミリ装置１００は公衆回線１１２に接続されていると判断する。一方、Ｓ５０２にて検出した電圧の絶対値が所定値未満であるとＣＰＵ１０２が判断した場合、ファクシミリ装置１００は公衆回線１１２に接続されていないと判断する。
これにより、ＣＰＵ１０２は、所定値以上と判断した場合（Ｓ５０３のＹｅｓ）は、Ｓ５０４に進み、所定値未満と判断した場合（Ｓ５０３のＮｏ）は、Ｓ５０７に移行する。ここで、Ｌ１／Ｌ２間の電圧を絶対値で判断するのは、接続する公衆回線１１２の供給する電圧極性が一意でない可能性があるためである。
【００２９】
Ｓ５０４に進んだ場合、ＣＰＵ１０２は、先ほど検出した電圧値から「極性」を検出する（Ｓ５０４）。そして、ＣＰＵ１０２は、その極性の結果と、直流電圧発生回路２０６が出力する電圧の極性とを比較し、極性が一致しているか否かを判断する（Ｓ５０５）。ここで、極性が一致しているとＣＰＵ１０２が判断した場合Ｓ５０７へ移行する。一方、極性が不一致であるとＣＰＵ１０２が判断した場合は、ＣＰＵ１０２は、公衆回線１１２から供給される電圧の極性に合わせて、直流電圧発生回路２０６の極性を切り替える（Ｓ５０６）。
具体的には、電圧極性切り替え部３０２に対して、極性を入れ替えるよう極性制御信号３０５を制御する。最後に、ファックス送信／受信可能なスタンバイ状態にて待機する（Ｓ５０７）。なお、Ｓ５０６とＳ５０７との間で、電圧極性を反転させたことを示す旨および、回線接続を提供するサービス業者への確認を要求するメッセージを操作部１１０に表示したり、管理者にメールで通知する処理を含めてもよい。
【００３０】
ここで、例えば、図２に示すように回線端子Ｌ１がプラス、Ｌ２がマイナスとなるように公衆回線１１２から直流電圧が供給されている場合について説明する。この場合、Ｈリレー２０５がＯＦＦ状態の時（鳴動着信状態の時）は回線端子Ｌ１／Ｌ２の極性は、そのままＴＥＬ端子Ｔ１／Ｔ２にかかり、ＴＥＬ端子Ｔ１がプラス、Ｔ２がマイナスになる。
【００３１】
一方、ユーザの指示により「無鳴動着信状態」に切り替わる場合には、Ｈリレー２０５をＯＮ状態にする必要がある。Ｈリレー２０５がＯＮになると、ＴＥＬ端子Ｔ１が直流電圧発生回路２０６の出力Ｄ１（３０８）に、ＴＥＬ端子Ｔ２が出力Ｄ２（３０９）に接続し、回線端子Ｌ１／Ｌ２から切り離される。この時、回線端子Ｌ１／Ｌ２間の電圧極性（Ｌ１＝プラス、Ｌ２＝マイナス）に対応して、直流電圧発生回路２０６の出力Ｄ１をプラス、Ｄ２をマイナスにする必要がある。
【００３２】
ここで、回線端子Ｌ１／Ｌ２間の電圧極性と逆になるよう直流電圧発生回路２０６の出力電圧の極性の切替を制御すると、Ｈリレー２０５がＯＦＦからＯＮになるタイミングで、外付け電話機１１４に対して極性反転を発生させてしまうことになる。この極性の入れ換えを、外付け電話機１１４が公衆回線１１２により発せられた「極性反転」信号と誤認識する可能性があり、その後の外付け電話機１１４の動作が正しく行われない可能性がある。従って、本発明のファクシミリ装置１００では、図５に示す処理フローによって外付け電話機１１４に対して極性の入れ替えが起きないよう制御している。
【００３３】
ここで、図２に示す公衆回線１１２の極性と逆の直流電圧が供給されている場合について説明する（ただし、図示なし）。つまり、回線端子Ｌ１がマイナス、Ｌ２がプラスとなるように公衆回線１１２から直流電圧の供給を受けている場合である。その場合、Ｈリレー２０５がＯＦＦの場合は、公衆回線１１２からの直流電圧がそのまま供給され、ＴＥＬ端子Ｔ１にマイナス、ＴＥＬ端子Ｔ２にプラスの極性が現れる。
一方、直流電圧発生回路２０６の出力も、回線電圧検出部４０５で検出した回線端子Ｌ１／Ｌ２間の電圧極性に合わせて、出力Ｄ１に対応する端子３０８をマイナス、Ｄ２に対応する３０９をプラスにするよう極性制御信号３０５を制御する。
【００３４】
このように、本実施形態にかかるファクシミリ装置１００は、公衆回線１１２を提供する業者によって公衆回線１１２に接続するジャック部の極性が一意でない場合であっても、ファクシミリ装置１００に接続する外付け電話機１１４の誤動作を未然に防げる。
【００３５】
〔第２実施形態〕
図６は、本実施形態を示す画像通信装置の制御方法を説明するフローチャートである。本例は、なお、各ステップは、極性反転制御の一例であって、Ｓ５０３で回線端子Ｌ１／Ｌ２間の電圧の絶対値が所定値未満で、公衆回線１１２に未接続であると判断された場合の処理を追加した例である。図１に示したＣＰＵ１０２がＲＯＭ１０４等に記憶された制御プログラムを実行することにより実現される。
【００３６】
ファクシミリ装置１００の電源が入れられたならば、まず、ＣＰＵ１０２は、ＭＯＤＥＭ２１３に対して初期設定を行う（Ｓ６０１）。次に、回線接続有無の状態を示すフラグ回線接続なしフラグ（ＮｏＬｉｎｅ）を初期値の"０"にセットする（Ｓ６０２）。次に、ＤＡＡ部４０１の回線電圧検出部４０５にてＦＡＸ Ｉ／Ｆ１１１の回線端子Ｌ１／Ｌ２間の電圧検出を行う（Ｓ６０３）。そして、ＣＰＵ１０２は、Ｓ６０３にて検出した電圧の絶対値が所定値以上か否かを判断する（Ｓ６０４）。ここで、検出した電圧の絶対値が所定値以上であるとＣＰＵ１０２が判断した場合、ファクシミリ装置１００は公衆回線１１２に接続されていて、所定値未満であれば未接続であると判断する。このため、ＣＰＵ１０２は、所定値以上の場合（Ｓ６０４のＹｅｓ）は、Ｓ６０５に進む。
【００３７】
一方、検出した電圧の絶対値が所定値未満であるとＣＰＵ１２が判断した場合（Ｓ６０４のＮｏ）は、Ｓ６０６に進み、ＣＰＵ１０２は、前述のフラグ回線接続なしフラグ（ＮｏＬｉｎｅ）を"１"にセットする。そして、フラグ回線接続なしフラグ（ＮｏＬｉｎｅ）を"１"にセットした後、ＣＰＵ１０２は、処理をＳ６０９に移行する。
【００３８】
そして、Ｓ６０５では、ＣＰＵ１０２がＳ６０３で検出した電圧値から「極性」を検出する。次に、ＣＰＵ１０２は、Ｓ６０５での極性検出結果と、直流電圧発生回路２０６が出力する電圧の極性とを比較し、極性が一致しているか否かを判断する（Ｓ６０７）。ここで、極性が一致しているとＣＰＵ１０２が判断した場合Ｓ６０９へ移行する。一方、極性が一致していないとＣＰＵ１０２が判断した場合は、公衆回線１１２から供給される電圧の極性に合わせて、直流電圧発生回路２０６の極性を切り替える（Ｓ６０８）。なお、Ｓ６０９では、回線利用待ち待機状態で待機する。
【００３９】
図７は、本実施形態を示す画像通信装置の制御方法を説明するフローチャートである。本例は、回線利用待ち待機状態の具体的な処理の一例である。図１に示したＣＰＵ１０２がＲＯＭ１０４等に記憶された制御プログラムを実行することにより実現される。
回線利用待ち待機に入ったら、まず、ＣＰＵ１０２は、回線を利用する処理の指示があるか否かを判断する（Ｓ７０１）。ここで、回線を利用する処理とは、例えば、ファクシミリ送信処理である。また、公衆回線１１２からの着信も本処理に該当する。回線を利用する処理の指示があった場合（Ｓ７０１のＹｅｓ）、回線接続なしフラグ（ＮｏＬｉｎｅ）をチェックする（Ｓ７０２）。回線接続なしフラグ（ＮｏＬｉｎｅ）が"１"の場合は、図６のＳ６０４で公衆回線１１２に未接続であると一度判断されたことになる。その場合は、再度、公衆回線１１２に接続されているか否かを判断するために、Ｓ７０４に進む。
【００４０】
Ｓ７０３で、回線接続なしフラグ（ＮｏＬｉｎｅ）が"０"であるとＣＰＵ１０２が判断した場合は、Ｓ７１０に進み、回線を利用した処理を実行する。
一方、Ｓ７０３でＹｅｓであると判断した場合（図６のＳ６０４で公衆回線１１２に未接続であると判断されていた場合）は、再度、ＣＰＵ１０２は、回線端子Ｌ１／Ｌ２間の電圧検出を行う（Ｓ７０４）。そして、ＣＰＵ１０２は、Ｓ７０４にて検出した電圧の絶対値が所定値以上か否かを判断する（Ｓ７０５）。
【００４１】
ここで、Ｓ７０４にて検出した電圧の絶対値が所定値未満であるとＣＰＵ１０２が判断した場合は（Ｓ７０５のＮｏ）、依然として公衆回線１１２への接続が無い状態であると判断し、Ｓ７０６に進む。
Ｓ７０６では、操作部１１０の表示部（図示なし）に、ファクシミリ装置１００が公衆回線１１２に未接続の状態であるので回線に接続するよう促すメッセージを表示する。当該表示を実行したら、本処理から抜ける（リターン）。
【００４２】
一方、Ｓ７０５にてＳ７０４にて検出した電圧の絶対値が所定値以上であると判断された場合（Ｓ７０５のＹｅｓ）は、Ｓ７０７に進む。Ｓ７０７では、ＣＰＵ２０１は、Ｓ７０４で検出した電圧値から「極性」を検出する。そして、ＣＰＵ２０１は、Ｓ７０７での極性検出結果と、直流電圧発生回路２０６が出力する電圧の極性とを比較し、極性が一致しているか否かを判断する（Ｓ７０８）。ここで、極性が一致しているとＣＰＵ２０１が判断した場合Ｓ７１０へ移行する。一方、極性が一致していないとＣＰＵ１０２が判断した場合は、公衆回線１１２から供給される電圧の極性に合わせて、直流電圧発生回路２０６の極性を切り替える（Ｓ７０９）。ここで初めてＳ７１０の回線を利用する処理を実行に移すことができる（Ｓ７１０）。
【００４３】
本実施形態では、ファクシミリ装置１００の電源を入れた時点では公衆回線１１２に接続されておらず、公衆回線１１２を利用した処理を実行する際に接続された場合を鑑みた実施形態である。つまり、ファクシミリ装置１００の電源を入れた時点で公衆回線１１２から供給される直流電圧を検出できなくても、実際に公衆回線１１２を利用した処理を行う直前に、再度、検出を行うことで、直流電圧発生回路２０６の出力電圧の極性を正しく制御できる。
【００４４】
本発明は、上述の実施形態の１以上の機能を実現するプログラムを、ネットワーク又は記憶媒体を介してシステムまたは装置に供給する。そして、そのシステム又は装置のコンピュータにおける１つ以上のプロセッサがプログラムを読み出し実行する処理でも実現可能である。また、１以上の機能を実現する回路（例えばＡＳＩＣ）によっても実現可能である。
【符号の説明】
【００４５】
１００  ファクシミリ装置
１０１  コントローラ部
１０２  ＣＰＵ
１０３  ＲＡＭ
１０４  ＲＯＭ
１０５  画像処理部
１０６  プリンタＩ／Ｆ
１０７  プリンタ部
【図１】
2016220028.tif 000003
【図２】
2016220028.tif 000004
【図３】
2016220028.tif 000005
【図４】
2016220028.tif 000006
【図５】
2016220028.tif 000007
【図６】
2016220028.tif 000008
【図７】
2016220028.tif 000009